(57)【要約】  【課題】その一部が上方から覆われる物置部の容量を減少させることなく、物置部内を照明できるようにする。  【解決手段】インストルメントパネル１の車幅方向中間部分に位置される中央パネル部１ａの下方側に、車室内に向けての開口部２０ｅを有する物置部２０（２１）が設置される。車室前部の天井１２に設置された照明ライト１５が、運転席４と助手席５との間において前後方向に伸びるセンターコンソール部６に指向される。センターコンソール部６には、照明ライト１５からの照射光αを反射させるための反射部３０が設けられて、反射部３０で反射された反射光βが物置部２０内を照射する。物置部２１が、中央パネル部１ａから後方に引き出される引き出し部６０によって上方から覆われる場合であってもよい（図６対応）。【選択図】  図２
2007022200.tif 000002
【特許請求の範囲】
【請求項１】
車室前部において車幅方向に伸ばして配設されたインストルメントパネルと、
運転席と助手席との間において車体前後方向に伸ばして配設されたセンターコンソール部と、
車室前部の天井に設けられ、前記センターコンソール部に指向されたスポット式の照明手段と、
前記インストルメントパネルの車幅方向中間部分に位置される中央パネル部の下方側に少なくともその一部が位置されると共に、車室内に向けての開口部を有する物置部と、
前記センターコンソール部に設けられ、前記照明手段からの照射光を前記物置部内に向けて反射させるための反射部と、
を備えていることを特徴とする車室内の照明装置。
【請求項２】
車室前部において車幅方向に伸ばして配設されたインストルメントパネルと、
運転席と助手席との間において車体前後方向に伸ばして配設されたセンターコンソール部と、
車室前部の天井に設けられ、前記センターコンソール部に指向されたスポット式の照明手段と、
前記インストルメントパネルの車幅方向中間部分に位置される中央パネル部に設けられ、該中央パネル部内に収納される収納状態と、該中央パネル部から後方へ引き出された使用状態とを選択的にとり得るようにされた引き出し部と、
使用状態にある前記引き出し部の下方側に少なくともその一部が位置されると共に、車室内に向けての開口部を有する物置部と、
前記センターコンソール部に設けられ、前記照明手段からの照射光を前記物置部内に向けて反射するための反射部と、
を備えていることを特徴とする車室内の照明装置。
【請求項３】
請求項１または請求項２において、
前記反射部は、前方へ向かうにつれて下方に位置する傾斜面を有するように形成されている、ことを特徴とする車室内の照明装置。
【請求項４】
請求項１ないし請求項３のいずれか１項において、
前記センターコンソール部には、変速シフト操作部材が設けられ、
前記センターコンソール部の上面には、前記変速シフト操作部材を取り巻くように配設された上面カバー部材が配設され、
前記上面カバー部材の特定部分が、前記反射部とされている、
ことを特徴とする車室内の照明装置。
【請求項５】
請求項１ないし請求項３のいずれか１項において、
前記反射部は、前記センターコンソール部の上面に艶有りの化粧板が設けられ、
前記化粧板の特定部分が、前記反射部とされている、
ことを特徴とする車室内の照明装置。
【請求項６】
請求項１または請求項２において、
前記センターコンソール部には、変速シフト操作部材が設けられ、
前記変速シフト操作部材が車両の前進走行するときの特定変速シフト位置において、前記照明手段から前記反射部へ向かう照射光が該変速シフト操作部材によって遮断されないようにされている、
ことを特徴とする車室内の照明装置。
【発明の詳細な説明】
【技術分野】
【０００１】
本発明は、車室内の照明装置に関するものである。
【背景技術】
【０００２】
最近の車両では、車室内の雰囲気向上や限定された特定領域のみを明確に認識させる等の観点から、特許文献１に示すように、車室前部の天井（ル−フ）に、限定された特定領域付近のみを照射するようにスポット式の照明手段を設けることが増加する傾向にある。特許文献１に記載のものでは、インストルメントパネルのうち、車幅方向中間部にある中央パネル部を照射するものが開示されている。
【０００３】
また、車両においては、運転席と助手席との間において、車体前後方向に伸ばしてセンターコンソール部を設けるのが一般的であり、このセンターコンソール部に、変速シフト操作部材やカップホルダ部等を設けることも一般に行われている。このセンターコンソール部は、インストルメントパネルの中央パネル部の下方に向けて指向されることになる。
【０００４】
ところで、最近の車両においては、車室内の種々の場所に物置部（物入れ部）が設けられている。この物置部を設ける場所として、センターコンソール部の前端部あるいは前方延長線上で、しかも少なくともその一部（特に前端部）が中央パネル部の下方に位置するような位置とされる場合がある。勿論、この物置部は、車室内に向けて開口されるように形成される。このような物置部は、運転席あるいは助手席に着座している乗員が容易に手を伸ばして接近できる場所であり、しかもかなり大きい容積を確保し易いということもあって、増加する傾向にある。
【０００５】
また、車両の中には、センターコンソール部の前端部に物置部を形成する一方、インストルメントパネルのうち中央パネル部には前後方向にスライド式に変位される引き出し部を設けることも行われている。すなわち、前方へスライドさせたときに引き出し部が中央パネル部内に収納される収納状態とされ、この収納状態から後方へ引き出すことにより引き出し部の使用状態となる。そして、この引き出し部は、例えば、カップホルダとして使用される場合がある。
【特許文献１】特開２００２−２６４７２４号公報
【発明の開示】
【発明が解決しようとする課題】
【０００６】
前述したように、センターコンソール部の前端部あるいはその前方延長線上に物置部を形成した場合で、しかもこの物置部の少なくとも一部（特に前端部）が中央パネル部によって上方から覆われたり、あるいは使用状態にある引き出し部によって上方から覆われた場合は、物置部の少なくとも一部は相当に暗いものとなり、特に夜間においては物置部内の様子をまったく確認できない状況にすらなりかねない。
【０００７】
物置部内の様子を夜間でも明確に確認できるように、物置部の上壁部にこの内部を照明するための照明ライトを別途設けることも考えられる。しかしながら、物置部内に別途照明ライトを設けることは、照明ライトの設置スペース分だけ物置部の容積を確保しずらいものになってしまうという問題を生じる。とりわけ、物置部内に設けた照明ライトによって後方にあるセンターコンソール部をも照明するようにする場合は、照明ライトをかなり低い位置に突出するように設置する必要があるので、物置部の容量が極めて大きく減少されてしまうことになる。
【０００８】
本発明は以上のような事情を勘案してなされたもので、その目的は、中央パネル部の下方に位置されて少なくともその一部が上方から覆われることになる物置部を設けた場合に、物置部の容量を減少させることなくその内部を照明できるようにした車室内の照明装置を提供することにある。
【課題を解決するための手段】
【０００９】
前記目的を達成するため、本発明はその第１の解決手法として次のようにしてある。すなわち、特許請求の範囲における請求項１に記載のように、
車室前部において車幅方向に伸ばして配設されたインストルメントパネルと、
運転席と助手席との間において車体前後方向に伸ばして配設されたセンターコンソール部と、
車室前部の天井に設けられ、前記センターコンソール部に指向されたスポット式の照明手段と、
前記インストルメントパネルの車幅方向中間部分に位置される中央パネル部の下方側に少なくともその一部が位置されると共に、車室内に向けての開口部を有する物置部と、
前記センターコンソール部に設けられ、前記照明手段からの照射光を前記物置部内に向けて反射させるための反射部と、
を備えているようにしてある。
【００１０】
前記目的を達成するため、本発明はその第２の解決手法として次のようにしてある。すなわち、特許請求の範囲における請求項２に記載のように、
車室前部において車幅方向に伸ばして配設されたインストルメントパネルと、
運転席と助手席との間において車体前後方向に伸ばして配設されたセンターコンソール部と、
車室前部の天井に設けられ、前記センターコンソール部に指向されたスポット式の照明手段と、
前記インストルメントパネルの車幅方向中間部分に位置される中央パネル部に設けられ、該中央パネル部内に収納される収納状態と、該中央パネル部から後方へ引き出された使用状態とを選択的にとり得るようにされた引き出し部と、
使用状態にある前記引き出し部の下方側に少なくともその一部が位置されると共に、車室内に向けての開口部を有する物置部と、
前記センターコンソール部に設けられ、前記照明手段からの照射光を前記物置部内に向けて反射するための反射部と、
を備えているようにしてある。
【００１１】
上記第１の解決手法および第２の解決手法によれば、天井に設けた照射手段からの照射光が、反射部によって反射されて物置部内が照明される。また、天井に設けた照明手段を利用して物置部内を照射するので、物置部内にあるいはその付近に物置部内の照明要の照明手段を別途設ける場合に比して、コストも安価であり、しかも物置部の容積を十分に確保する上でも好ましいものとなる。さらに、天井に設けた照明手段は、スポット式であるので、むやみに照射光が拡散することなく、反射部によって反射された照射光が十分に明るいものとなり、物置部内を明るく照射する上でも好ましいものとなる。以上に加えて、照明手段がスポット式であるので、センターコンソール部付近の視認性を高めつつ、車室内の雰囲気向上を得ることができ、しかも乗員に対して眩しさを与えないようにする上でも好ましいものとなる。
【００１２】
上記第１の解決手法および第２の解決手法を前提とした好ましい態様は、特許請求の範囲における請求項３以下に記載のとおりである。すなわち、
前記反射部は、前方へ向かうにつれて下方に位置する傾斜面を有するように形成されている、ようにしてある（請求項３対応）。この場合、反射部を傾斜面として、上方からの照射光を前方つまり物置部内へと確実に反射させる上で好ましいものとなる。
【００１３】
前記センターコンソール部には、変速シフト操作部材が設けられ、
前記センターコンソール部の上面には、前記変速シフト操作部材を取り巻くように配設された上面カバー部材が配設され、
前記上面カバー部材の特定部分が、前記反射部とされている、
ようにしてある（請求項４対応）。この場合、変速シフト操作部材に関して設けられた上面カバー部材を有効に利用して反射部を形成することができる。
【００１４】
前記反射部は、前記センターコンソール部の上面に艶有りの化粧板が設けられ、
前記化粧板の特定部分が、前記反射部とされている、
ようにしてある（請求項５対応）。この場合、化粧板を有効に利用して反射部を形成することができる。また、化粧板の有する艶を利用して効果的な反射を得て、物置部内を極力明るく照射する上で好ましいものとなる。
【００１５】
前記センターコンソール部には、変速シフト操作部材が設けられ、
前記変速シフト操作部材が車両の前進走行するときの特定変速シフト位置において、前記照明手段から前記反射部へ向かう照射光が該変速シフト操作部材によって遮断されないようにされている、
ようにしてある（請求項６対応）。この場合、前進走行中は、変速シフト操作部材になんら邪魔をされることなく、照明手段からの照射光が常に反射部に到達されるようにして、照明手段からの照射光を利用して物置部内を常に照射させることができる。
【発明の効果】
【００１６】
本発明によれば、物置部の容量を減少させることなく、物置部内を照明することができる。
【発明を実施するための最良の形態】
【００１７】
図１、図２において、１は車室前部において車幅方向に伸びるインストルメントパネルであり、その車幅方向中間部は上下方向に伸びる中央パネル部１ａとされている。この中央パネル部１ａには、実施形態では、表示画面２、空調用やオーディオ用の各種スイッチ３が装備されている。４は運転席、５は助手席であり、この運転席４と助手席５との間には、車体前後方向に伸びるセンターコンソール部６が配設されている。このセンターコンソール部６には、前方から後方へ順次、変速シフト操作部材７、カップホルダ８、開閉式の物入れ部９が配設されている。なお、図中１０はハンドル、１１はフロントウインドガラスである。
【００１８】
図２において、前席（運転席４または助手席５）に着座された乗員が符合Ｊで示される。天井１５の前部つまり乗員Ｊの頭部よりも前方の位置で、かつ車幅方向略中間部には、照明手段としてスポット式の照明ライト１５が設けられている。この照明ライト１５は、実施形態ではＬＥＤが用いられている。照明ライト１５の照射範囲は、実施形態では、１．５ｍ離れた位置において直径略１ｍ程度の円形の範囲とされる。車両に搭載された状態では、照明ライト１５の照射範囲が、図１において波線で示すように、センターコンソール部６付近（センターコンソール部６およびその直近）に限定されるように設定されている。より具体的には、車体前後方向においては、中央パネル部１ａの下端部から、物入れ部９の後端部付近の範囲とされている。図２には、照明ライト１５の前後方向の照射範囲が、照射角度θ１で示される。照明ライト１５の車幅方向の照射範囲は、センターコンソール部６を中心としてこれよりも若干車幅方向両側に広がった程度の範囲とされる。より具体的には、照明ライト１５からの照射光が、乗員Ｊの車幅方向中心側に位置する肩部を照射しない（乗員Ｊの頭部には対しては全く照射しない）ようにされて、照明ライト１５による照射光が乗員Ｊに対して眩しさを与えない設定となっている。
【００１９】
なお、照明ライト１５としてＬＥＤを用いることは、消費電力が小さいという利点のみならず。ＬＥＤからの照射光が直進性に優れていることによって限定された特定部位のみを照射する上で好ましいものとなり、このことは乗員Ｊに対して眩しさを与えないようにする上でも好ましいものとなる。また、照明ライト１５の発行色として青色系を用いることにより、高級な雰囲気を醸し出す上で好ましいものとなる。
【００２０】
センターコンソール部６の前端部は、中央パネル部１ａの下方にまで延設されている。そして、センターコンソール部６の前端部には、物置部２０が形成されている。この物置部２０のうち前後方向略中間位置よりも前方となる部分は、中央パネル部１ａによって上方から覆われている。このような物置部２０は、その前壁部２０ａと、底壁部２０ｂと、上壁部２０ｃと、左右一対の側壁部２０ｄとを有して、後壁部を有しない構造、つまり後方部分が車室内に開口された開口部２０ｅとされている。そして、上壁部２０ｃの後端が、中央パネル部１ａの下端に連なっている。なお、インストルメントパネル１とセンターコンソール部６とは互いに別部材で形成されていて、例えば中央パネル部１ａの下端付近が境界部位とされて互いに連結されているが、その境界部位は適宜変更し得るものである。
【００２１】
図２において、センターコンソール部６上には、変速シフト操作部材７の直前方位置において、反射部３０が形成されている。この反射部３０は、後述するように、変速シフト操作部材７の周囲を取り巻くように配設されて上面が艶を有する上面カバー部材（化粧板）の一部によって形成されている。この反射部３０は、照明ライト１５から照射される上方からの照射光を受けると（反射部３０に向かう照明ライト１５からの照射光が、図２において符合αで示される）、照射光を反射させて、反射された反射光βが物置部２０内に向かうように設定されている。なお、実施形態では、側面視において、中央パネル部１ａの下端後方に反射部３０が位置され、反射部３０の後方に照明ライト１５が位置されて、照射光αは、斜め後方から反射部３０へ入射されるようになっている。
【００２２】
上記反射部３０の詳細について、図２、図３を参照をしつつ詳細に説明する。まず、センターコンソール部６には、変速シフト操作部材７が貫通する貫通孔６ａが形成されている。そして、変速シフト操作部材７を取り巻くようにして、リング状の上面カバー部材４０がセンターコンソール部６上に固定配置されている。この上面カバー部材４０によって、貫通孔６ａの開口縁部の体裁（見栄え）が向上される。すなわち、上面カバー部材４０が、化粧板（ベゼル部材）の機能を果たしている）。また、上面カバー部材４０の上面には、変速シフト位置を示す点灯式の指標が設けられており、実施形態では変速シフト操作部材７が自動変速機用とされているので、上記指標は、例えばレンジ位置を示す前からＰ（駐車）、Ｒ（後退）、Ｎ（ニュートラル）、Ｄ、２、１（Ｄ、２、１はそれぞれ前進走行用）等が車体前後方向に隔置して設けられている。
【００２３】
上面カバー部材４０は、例えば、金属や合成樹脂によって形成することができるるが、その上面は艶を有するように形成される。すなわち、金属で形成されている場合はそのままでも上面に艶（特に金属光沢）を有することになるが、合成樹脂で形成されている場合は、その上面を金属メッキで被覆することにより、あるいは艶だしのための磨き加工を行うことにより、十分に艶（光沢）を有するものとされている。このような上面カバー部４０のうち、その前端部分が、前述した反射部３０とされているが、特に、反射部３０に相当する部分を鏡面加工することにより、反射部３０での反射効率を極めて高いのものに設定することができる。この反射部３０は、図３に示すように、前方に向かうにつれて徐々に下方に位置するように略円弧状に湾曲形成された傾斜面とされている。これにより、照明ライト１５からの上方からの照射光αを受けると、照射光αが反射部３０で反射され、この反射光βが前方へ向かうように、つまり物置部２０内の奥部に向かうことになる。これにより、物置部２０内を乗員Ｊは常に明確に視認することが可能となる。なお、反射部３０が略円弧状とされているために、反射個βは単一の方向ではなくて、上下方向に若干ずれた状態で上下方向に広く分散した反射となって、物置部２０内を全体的に照明することになる。なお、反射光βによる物置部２０内の照射方向は、例えば、前壁部２０ａに対してほぼ直角をなす方向、底壁部２０ｂの前端部に向かう方向（前方に向かうにつれて徐々に下方を向く方向）、あるいはこれらの組み合わせにする等、照射光αの反射部３０に対する指向方向を勘案しつつ反射部３０での反射角の設定の仕方によって任意に設定することができる。
【００２４】
ここで、変速シフト操作部材７がもっとも前方位置へ操作されたとき（自動変速機の場合、通常はＰレンジ位置とされたとき）、反射部３０へ向かう照射光αが、変速シフト操作部材７に邪魔されることなく、反射部３０へ確実に到達することが可能となっている。換言すれば、反射部３０へ向かう照射光αが、もっとも前方に位置されたときの変速シフト操作部材７よりも前方位置を通るように設定されている。また、Ｐレンジ位置では、変速シフト操作部材７に邪魔されて照射光αが反射部３０へ到達できないが、変速シフト操作部材７が前進走行用のレンジ位置（Ｄ、２あるいは１）へ操作されたときには、照射光αが変速シフト操作部材７に邪魔されることなく反射部３０へ到達するように構成してもよい。このようにすることで、前進走行中は、照明ライト１５を点灯することで物置部２０の照明が可能となる。停車中は、変速シフト操作部材７が邪魔をして物置部２０を十分に照明できないが、このときには、後席の車幅方向中央部分の天井１２にルームランプ（図示を略す）が設置されている場合には、このルームランプを任意点灯させることで、車室内全体ひいては物置部２０を照明することが可能となる。
【００２５】
図４は、本発明の第２実施形態を示すもので、前記実施形態と同一構成要素には同一符合を付してその重複して説明はする（このことは後述する第３実施形態以下においても同じ）。本実施形態では、反射部３０の変形例を示すものである。すなわち、本実施形態では、上面カバー部材４１（図３に示す上面カバー部材４０に相当）に形成される反射部３１（反射部３０に相当）が、上下方向に隔置された直線状の複数（実施形態では２つ）の傾斜面３１ａ、３１ｂによって形成してある。各傾斜面３１ａ、３１ｂは、それぞれ、前方に向かうにつれて徐々に下方を向くような平坦面とされている。照射光αは、各傾斜面３１ａ、３１ｂによって反射されて、その反射光βがそれぞれ物置部２０内に向かうことになるが、３１ａ、３１ｂは平坦面なので、反射光βの向かう方向を正確に設定することができる（反射光βを極力拡散させないスポット状にして物置部２０内に向かわせることも可能）。
【００２６】
図５は、本発明の第３実施形態を示すものである。本実施形態では、物置部２０の開口部２０ｅを開閉自在に覆う蓋部材５０を別途設けたものとなっており、それ以外の構成は前記各実施形態の場合と同じように構成されている。すなわち、開口部２０ｅの上端部に相当する部分に車幅方向に伸びる支軸５２が固定されて、この支軸５１が、蓋部材５０に形成されたガイド孔５０ａ内に回動自在にかつスライド可能に挿通されている。これにより、蓋部材５０は、図５実線で示す閉位置と、図５波線で示す開位置とを選択的にとり得るようになっている。閉位置から開位置にするには、まず閉位置にある蓋部材５０を、支軸５１を中心として図５一点鎖線で示すようにその下端部が上方へ向かうように蓋部材５０を揺動させ、この後、蓋部材５０を前方へ向けてスライドさせればよい（支軸５１がガイド孔５０ａ内をスライドされる）。開位置から閉位置へと変更するには、上記手順とは逆の手順を行えばよい。
【００２７】
本実施形態では、反射部３０（あるいは３１）を利用した物置部２０内への照射は、蓋部材５０を開位置としたときに行われる。そして、蓋部材５０が閉位置にあるときは、反射光βが蓋部材５０を照射するので、夜間でも蓋部材５０の位置を明確に認識することが可能となり、蓋部材５０を容易に開閉操作できるようにする等の上でも好ましいものとなる。
【００２８】
図６は、本発明の第４実施形態を示すものである本実施形態では、物置部２１（物置部２０に相当）の上方を、中央パネル部１ａによっては直接には覆われない構造となっている。ただし、中央パネル部１ａには、前後方向にスライドされる引き出し部６０が装備されて、引き出し部６０が図６実線で示すように引き出された使用状態とされたときに、引き出し部６０によって物置部２１の前端部が上方から覆われるようになっている。したがって、引き出し部６０によって物置部２１が上方から覆われた状態では、物置部２１の奥部（前部）を、照明ライト１５によって直接照射することが不可能となる。しかしながら、反射部３０（あるいは３１）による反射光βによって、引き出し部６０が使用状態にある場合でも、物置部２１内を十分に照射することが可能となる。
【００２９】
なお、引き出し部６０は、実施形態ではカップホルダとされて、引き出したときに、リンク式に保持された底壁部６０ａ（図中波線で示すドリンク缶６２の受け皿となる部分）が自動的に下方へ変位され、引き出し部６０を収納状態へ向けて押し込み操作することによって、上記底壁部６０ａが自動的に上方へ変位されて、引き出し部６０が全体的に薄い状態にされて、中央パネル部１ａ内に収納されることになる。なお、このような引き出し部６０は既に実用化されているので、その詳細な構造そのものの説明は省略する。勿論、引き出し部６０としては、カップホルダに限らず、例えばナビゲーションシステム用の表示画面、あるいはオーディオの操作板等、適宜のものとすることができる。
【００３０】
以上実施形態について説明したが、本発明は、実施形態に限定されるものではなく、特許請求の範囲の記載された範囲において適宜の変更が可能であり、例えば次のような場合をも含むものである。物置部２０（２１）は、センターコンソール部６に一体に形成する場合に限らず、インストルメントパネル１に一体的に形成するようにしてもよく、またセンターコンソール部６およびインストルメントパネル１とは別の部材によって形成するようにしてもよい。センターコンソール部６の前端が、中央パネル部１ａの後端よりもかなり後方位置にあって、このセンターコンソール部６の前端と中央パネル部１ａの後端との間の空間を、運転席４と助手席５との間で乗員Ｊが行き来するためのいわゆるウオークスルー用の通路として設定されたものであってもよい。照明ライト１５は、車幅灯灯のスモールライトの点灯、消灯に同期して点灯、消灯させるようにしてもよく、あるいは別途設けたマニュアルスイッチの操作によって点灯、消灯を行うようにしてもよい。照明ライト１５は、１個でもって所望の限定された範囲を占めする場合、２個あるいは３個以上の照明ライトが互いに共同して１つの限定された領域を照明するものであってもよい。勿論、本発明の目的は、明記されたものに限らず、実質的に好ましいあるいは利点として表現されたものを提供することをも暗黙的に含むものである。
【図面の簡単な説明】
【００３１】
【図１】本発明の一実施形態を示す斜視図。
【図２】図１をセンターコンソール部で断面した側面断面図。
【図３】図１、図２に示す反射部の詳細を示す要部拡大側面断面図。
【図４】本発明の第２実施形態を示すもので、図３に対応した要部拡大側面断面図。
【図５】本発明の第３実施形態を示すもので、物置部の側面断面図。
【図６】本発明の第４実施形態を示すもので、図５に対応した側面断面図。
【符号の説明】
【００３２】
１：インストルメントパネル
１ａ：中央パネル部
４：運転席
５：助手席
６：センターコンソール部
７：変速シフト操作部材
１５：照明ライト（照明手段）
２０：物置部
２０ｅ：開口部
２１：物置部
３０：反射部
３１：反射部
３１ａ：３１ｂ：平坦面とされた傾斜面
４０：上面カバー部材（化粧板）
６０：引き出し部
α：照射光
β：反射光
【図１】
2007022200.tif 000003
【図２】
2007022200.tif 000004
【図３】
2007022200.tif 000005
【図４】
2007022200.tif 000006
【図５】
2007022200.tif 000007
【図６】
2007022200.tif 000008